(57)【要約】【課題】塗布部材（例えばローラ）の使用回数が増える事による弊害を軽減可能な液体塗布装置およびインクジェット記録装置を提供すること。【解決手段】液体保持部材２００１に形成され、液体保持空間Ｓに塗布液を供給するための液体供給口２００４と、液体保持部材２００１に形成され、液体保持空間Ｓから塗布液を回収するための回収口とを備える。また、液体保持空間内を大気に対して負圧にするためのポンプ３００７を備える。このような構成において、基準に対して相対的に近い位置に液体供給口２００４が配置され、基準に対して相対的に遠い位置に液体回収口２００５が配置されている。【選択図】図１７
2007181809.tif 000002
【特許請求の範囲】
【請求項１】
異なるサイズの媒体に液体を塗布することが可能な液体塗布装置であって、
前記媒体を搬送する搬送手段と、
前記搬送手段により搬送された媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記保持部材に形成され、前記液体保持空間に前記液体を供給する供給口と、
前記保持部材に形成され、前記液体保持空間から前記液体を流出させる回収口と、
前記液体塗布手段により前記液体を前記媒体に塗布している間、前記液体保持空間内の液体を前記回収口から流出させることにより、前記液体保持空間内の回収口側を前記供給口側よりも負圧にする負圧発生手段とを備え、
総てのサイズの媒体と当接する前記塗布部材の前記搬送方向と直交する方向の位置に対向する前記保持部材上の位置に前記供給口は形成され、一部のサイズの媒体だけと当接する前記塗布部材の前記搬送方向と直交する方向の位置に対向する前記保持部材上の位置に前記回収口は形成されていることを特徴とする液体塗布装置。
【請求項２】
前記塗布部材は、外周面を塗布面とする単一のローラであることを特徴とする請求項１記載の液体塗布装置。
【請求項３】
前記負圧発生手段は、前記液体保持空間内で前記液体の流れを発生させるためのポンプであることを特徴とする請求項１または２記載の液体塗布装置。
【請求項４】
異なるサイズの媒体に液体を塗布することが可能な液体塗布装置であって、
前記媒体を搬送する搬送手段と、
前記搬送手段により搬送される媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記液体を貯蔵する貯蔵手段と、
前記保持部材に形成され、前記液体保持空間に前記液体を供給する供給口と、
前記保持部材に形成され、前記液体保持空間から前記液体を流出させる回収口と、
前記貯蔵手段と前記供給口とを連通する第１の経路と、
前記貯蔵手段と前記回収口とを連通する第２の経路と、
前記液体塗布手段により前記液体を前記媒体に塗布している間、前記第２の経路に配置されるポンプを駆動することにより、前記貯蔵手段、前記第１の経路、前記液体保持空間、前記第２の経路を含む流路において前記液体を循環させるための循環手段とを備え、
前記異なるサイズの媒体の搬送方向に沿った一端の搬送位置となる基準に対して相対的に近い位置に前記供給口が配置され、前記基準に対して相対的に遠い位置に前記回収口が配置されていることを特徴とする液体塗布装置。
【請求項５】
異なるサイズの媒体に液体を塗布することが可能な液体塗布装置であって、
前記媒体を搬送する搬送手段と、
前記搬送手段により搬送される媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記保持部材に形成され、前記液体保持空間に前記液体を供給する供給口と、
前記保持部材に形成され、前記液体保持空間から前記液体を流出させる回収口と、
前記液体塗布手段により前記液体を前記媒体に塗布している間、前記液体保持空間内の液体を前記回収口から流出させることにより、前記液体保持空間内の回収口側を前記供給口側よりも負圧にする負圧発生手段とを備え、
前記異なるサイズの媒体の搬送位置の基準となる基準位置に対して相対的に近い位置に前記供給口が配置され、前記基準位置に対して相対的に遠い位置に前記回収口が配置されていることを特徴とする液体塗布装置。
【請求項６】
インクジェット記録装置であって、
請求項１乃至５のいずれかに記載の液体塗布装置と、
前記液体塗布装置により前記液体が塗布された媒体に対して、記録ヘッドからインクを吐出して前記媒体に画像を記録する記録手段と
を備えることを特徴とするインクジェット記録装置。
【請求項７】
記録装置であって、
請求項１乃至５のいずれかに記載の液体塗布装置と、
前記液体塗布装置により前記液体が塗布された媒体に対して、記録剤を付与して前記媒体に画像を記録する記録手段と
を備えることを特徴とする記録装置。
【発明の詳細な説明】
【技術分野】
【０００１】
本発明は、液体塗布装置およびインクジェット記録装置に関し、詳しくは、顔料を色材とするインクで記録した際に顔料の凝集を早めるなど所定の目的で媒体に液体を塗布する液体塗布装置に関するものである。また、本発明は、インクジェット記録で用いられる記録媒体に対して、顔料を色材とするインクで記録した際に顔料の凝集を早めるなどの目的で液体を塗布する機構を備えたインクジェット記録装置に関するものである。
【背景技術】
【０００２】
従来印刷の分野では、塗布液としてのインクをローラに供給する部分をシールする構成が知られている（特許文献１参照）。同文献に記載の塗布機構は、グラビア印刷装置において印刷版のパターンが表面に形成されたローラにインクを塗布する機構である。ここでは、ローラの周面に沿った上下２ヶ所に対応した位置で、ローラの長手方向に延在するドクターブレードと、この２つのドクターブレードの両側部にそれぞれ設けられた弾性部材と、を有したインクチャンバーを用いたものである。このチャンバーをローラの周面に当接させることにより、ローラとの間で液室を形成する。そして、ローラを回転することにより、この液室の塗布液がローラに付与ないし供給される。特許文献１では、インクタンクと塗布液室との間にポンプが設けられており、加圧方式によって塗布液の供給等を行っている。すなわち、上記ポンプによりインクタンク内のインクを塗布液室に圧送することで、インクタンクから塗布液室へのインクの供給等を行っている。
【０００３】
また、特許文献２では、上記シール性をさらに高めた液体塗布装置が提案されており、塗布ローラと当接することにより塗布液を保持する液体保持空間を形成する液体保持部材の、上記塗布ローラと当接する当接部が、単一部材によって環状に形成されている。特許文献２では、液体保持部材と当接する塗布ローラとして弾性部材が例示されている。
【０００４】
特許文献２は、特許文献１と異なり、液体保持部材の回収口側にポンプを設けている、負圧方式（減圧方式）によって塗布液の供給、循環、回収を行うことができる。加圧方式では、大量の液体を塗布液室に供給すると、液室内の圧力が高くなり、液漏れを生じることがあるが、負圧方式を用いると、このような液漏れを軽減できる。また、減圧方式を用いると、加圧方式では必要だった、塗布による消費分を考慮した供給制御を行う必要が無くなる。よって、コストダウンや小型化を図ることができる。このように、特許文献２は、特許文献１に対して様々な利点を有する。
【０００５】
【特許文献１】特開平０８−５８０６９号公報
【特許文献２】特開２００５−２５４２２９号公報
【特許文献３】特開２００２−９６４５２号公報
【発明の開示】
【発明が解決しようとする課題】
【０００６】
しかしながら、特許文献２では、塗布ローラとして弾性部材を使用する際に、耐久性において不安があることについて言及がなされていない。
【０００７】
具体的には、従来、記録媒体に液体を塗布するための回転回数が増えるにつれ、記録媒体が通った部位のローラが削れてしまい、ローラが細くなる恐れがある、という問題がある。すなわち、塗布液は、ローラの表面に付着する際は潤滑剤としても機能するが、記録媒体に接触することによって、記録媒体へと塗布される。すると、ローラの表面の、記録媒体が通った領域には、塗布液が少量しか残されないことになる。このとき、塗布液が少量しか残されていない領域がローラのニップ部に進入すると、上記ニップ部にかかる摩擦力が大きくなってしまう。
【０００８】
記録媒体と接触していない領域は、塗布液が大量に残っている。よって、上記ニップ部に進入しても、大量に残った塗布液が潤滑剤として機能するので、摩擦は小さくなる。一方、塗布液が少量しか残されていない領域（記録媒体と接触した領域）では、上述のように摩擦力が大きくなり、ローラの磨耗が進行する恐れがある。
【０００９】
この問題を模式的に図１４、１５に示す。図１５では、図１４に示した、所定のローラ径を有するローラ１４０１に対して耐久性試験を行った後、ローラ１４０１がどうなるかを概念的に示し、かつローラ径とローラ位置との関係についてのグラフを示す。
【００１０】
これらの図で、図１４、図１５の右端が搬送する際の記録媒体を突き当てる基準（記録媒体の搬送の基準）である。記録媒体を搬送する際、装置端部付近や中央付近などに基準を設け、それに突き当てて記録媒体を搬送する。また、市場には、Ａ４、Ａ５、Ａ３、Ｂ５、Ｂ４、など、様々なサイズの記録媒体があり、記録装置は各種のサイズに対応するため、サポートする記録媒体の最大幅を持つ。例えば、記録媒体を突き当てる基準を搬送方向に対してローラの右端にもつ装置である場合、ローラにおいて、基準側と塗布ローラの長手方向に沿った上記基準側と反対側（非基準側と呼ぶ）とを比較すると、明らかに記録媒体の通る頻度が違う。つまり、基準側はどんなサイズの記録媒体も必ず通ることになるが、非基準側は、記録媒体のサイズによっては、通らない事もあるからである。
【００１１】
これにより、基準側と非基準側とでローラの磨耗量が変わってしまう。例えば、図１４において、記録装置にてサポートされている記録媒体のサイズ（記録装置にて記録できる記録媒体のサイズ）が最大でＡ３の塗布装置のローラを例に挙げる。この装置を使用するユーザーがＡ４のサイズの記録媒体を多く使う場合、図１５のようにＡ４の紙が通るところ（範囲１５０１）とそれ以外の部分（範囲１５０２）とでは、ローラの磨耗による径の細りは、程度が異なる恐れがある。すなわち、Ａ４の紙が通るところの方（範囲１５０１）が、それ以外のところ（範囲１５０２）より径が細る恐れがあるのである。
【００１２】
また、本発明の発明者らは、液体保持部材の負圧が大きいと、磨耗量が増える恐れがある、ということを、特許文献２の出願後に明らかにした。これを例示したのが図１６である。
【００１３】
これらの原因によりローラの径が磨耗により細くなると、ローラに対するキャップの押し圧が変わる。これは、特許文献２にも明示されている通り、押し圧の変化により塗布量が意図せず変化してしまう。つまり1枚の記録媒体の中で塗りムラができてしまい、印字した際に画像弊害を起こす可能性がある。
【００１４】
このように、負圧方式による塗布液の供給等は、上述したような種々の利点を有するが、さらに良好な記録を行うためには、更なる工夫が必要である。
【００１５】
本発明は、このような問題に鑑みてなされたもので、その目的とするところは、塗布部材（例えばローラ）の使用回数が増える事による弊害を軽減可能な液体塗布装置およびインクジェット記録装置を提供することにある。
【課題を解決するための手段】
【００１６】
このような目的を達成するために、本発明は、異なるサイズの媒体に液体を塗布することが可能な液体塗布装置であって、前記媒体を搬送する搬送手段と、前記搬送手段により搬送された媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記保持部材に形成され、前記液体保持空間に前記液体を供給する供給口と、前記保持部材に形成され、前記液体保持空間から前記液体を流出させる回収口と、前記液体塗布手段により前記液体を前記媒体に塗布している間、前記液体保持空間内の液体を前記回収口から流出させることにより、前記液体保持空間内の回収口側を前記供給口側よりも負圧にする負圧発生手段とを備え、総てのサイズの媒体と当接する前記塗布部材の前記搬送方向と直交する方向の位置に対向する前記保持部材上の位置に前記供給口は形成され、一部のサイズの媒体だけと当接する前記塗布部材の前記搬送方向と直交する方向の位置に対向する前記保持部材上の位置に前記回収口は形成されていることを特徴とする。
【００１７】
また、本発明は、異なるサイズの媒体に液体を塗布することが可能な液体塗布装置であって、前記媒体を搬送する搬送手段と、前記搬送手段により搬送される媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記液体を貯蔵する貯蔵手段と、前記保持部材に形成され、前記液体保持空間に前記液体を供給する供給口と、前記保持部材に形成され、前記液体保持空間から前記液体を流出させる回収口と、前記貯蔵手段と前記供給口とを連通する第１の経路と、前記貯蔵手段と前記回収口とを連通する第２の経路と、前記液体塗布手段により前記液体を前記媒体に塗布している間、前記第２の経路に配置されるポンプを駆動することにより、前記貯蔵手段、前記第１の経路、前記液体保持空間、前記第２の経路を含む流路において前記液体を循環させるための循環手段とを備え、前記異なるサイズの媒体の搬送方向に沿った一端の搬送位置となる基準に対して相対的に近い位置に前記供給口が配置され、前記基準に対して相対的に遠い位置に前記回収口が配置されていることを特徴とする。
【００１８】
また、本発明は、異なるサイズの媒体に液体を塗布することが可能な液体塗布装置であって、前記媒体を搬送する搬送手段と、前記搬送手段により搬送される媒体に液体を塗布するための塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記保持部材に形成され、前記液体保持空間に前記液体を供給する供給口と、前記保持部材に形成され、前記液体保持空間から前記液体を流出させる回収口と、前記液体塗布手段により前記液体を前記媒体に塗布している間、前記液体保持空間内の液体を前記回収口から流出させることにより、前記液体保持空間内の回収口側を前記供給口側よりも負圧にする負圧発生手段とを備え、前記異なるサイズの媒体の搬送位置の基準となる基準位置に対して相対的に近い位置に前記供給口が配置され、前記基準位置に対して相対的に遠い位置に前記回収口が配置されていることを特徴とする。
【００１９】
また、本発明は、インクジェット記録装置であって、請求項１乃至５のいずれかに記載の液体塗布装置と、前記液体塗布装置により前記液体が塗布された媒体に対して、記録ヘッドからインクを吐出して前記媒体に画像を記録する記録手段とを備えることを特徴とする。
【００２０】
また、本発明は、記録装置であって、請求項１乃至５のいずれかに記載の液体塗布装置と、前記液体塗布装置により前記液体が塗布された媒体に対して、記録剤を付与して前記媒体に画像を記録する記録手段とを備えることを特徴とする。
【発明の効果】
【００２１】
本発明によれば、搬送基準に対して相対的に近い位置に供給口を配置し、搬送基準に対して相対的に遠い位置に回収口を配置しているので、負圧による塗布部材（例えば、塗布ローラ）の磨耗の影響を分散することが可能である。よって、塗布部材の磨耗による画像弊害を抑制することが可能となる。
【発明を実施するための最良の形態】
【００２２】
以下、添付図面を参照して本発明の好適な実施の形態を詳細に説明する。  
図１は、本発明の液体塗布装置１００に係る実施形態の全体構成を示す斜視図である。
ここに示す液体塗布装置１００は、概略、塗布媒体に対し所定の塗布液を塗布する液体塗布手段と、この液体塗布手段に塗布液を供給する液体供給手段を有して構成されている。
【００２３】
液体塗布手段は、円筒状の塗布ローラ１００１、この塗布ローラ１００１に対向して配置された円筒状のカウンターローラ（媒体支持部材）１００２、および塗布ローラ１００１を駆動するローラ駆動機構１００３などを有する。このローラ駆動機構１００３は、ローラ駆動モータ１００４と、このローラ駆動モータ１００４の駆動力を塗布ローラ１００１に伝達するギアトレインなどを有する動力伝達機構１００５とによって構成されている。
【００２４】
また、液体供給手段は、塗布ローラ１００１の周面との間で塗布液を保持する液体保持部材２００１、およびこの液体保持部材２００１に液体を供給する後述の液体流路３０００（図１では不図示）などを有して構成される。塗布ローラ１００１およびカウンターローラ１００２は、それぞれ、それらの両端が不図示のフレームに対して回動自在に取り付けられた、互いに平行な軸によって回動自在に支持されている。また、液体保持部材２００１は、塗布ローラ１００１の長手方向のほぼ全体にわたって延在するものであり、塗布ローラ１００１の周面に対して接離動作を可能とする機構を介して上記のフレームに移動可能に取り付けられている。
【００２５】
本実施形態の液体塗布装置は、さらに、塗布ローラ１００１とカウンターローラ１００２とのニップ部に塗布媒体を搬送するための、ピックアップローラなどからなる塗布媒体供給機構１００６を備える。また、この塗布媒体の搬送路において、塗布ローラ１００１およびカウンターローラ１００２の後流側には、塗布液が塗布された塗布媒体を排紙部（不図示）へ向けて搬送する、排紙ローラなどからなる排紙機構１００７が設けられる。これらの給紙機構や排紙機構も、塗布ローラなどと同様、動力伝達機構１００５を介して伝えられる駆動モータ１００４の駆動力によって動作する。
【００２６】
なお、本実施形態で使用する塗布液は、顔料を色材とするインクで記録した際に顔料の凝集を早めることを目的とした液体である。  
塗布する液体の成分の一例を以下に記述する。  
硝酸カルシウム・４水和物    １０％
グリセリン                  ４２％
界面活性剤                    １％
水                            残量
また、前記塗布液の粘度は２５℃で５〜６ｃＰ（センチポアズ）である。  
なお、本発明の適用において塗布液は、上記のものに限られないことは勿論である。例えば、別の塗布液として、染料を不溶化あるいは凝集させる成分を含有する液体を用いることも可能である。また、別の塗布液として、塗布媒体のカール（媒体が湾曲形状となる現象）を抑制する成分を含有する液体を用いることも可能である。
【００２７】
塗布する液体に水を用いる場合、本発明の塗布ローラとの液体保持部材の当接部分での周動性は、表面張力を下げる成分を前記液体に含ませることで良好なものとなる。  
上述の塗布する液体の成分の一例では、グリセリン及び界面活性剤が水の表面張力を下げる成分である。
【００２８】
次に、以上概略を説明した液体塗布装置を構成する各部の要素についてより詳細に説明する。  
図２は、塗布ローラ１００１、カウンターローラ１００２および液体保持部材２００１などの配置の一例を示す説明縦断側面図である。  
カウンターローラ１００２は、不図示の付勢手段によって塗布ローラ１００１の周面に向けて付勢されており、塗布ローラ１００１を図中、時計方向に回転させることにより、両ローラの間に塗布液を塗布すべき塗布媒体Ｐを挟持し得る。これと共に、塗布媒体Ｐを図中の矢印方向に搬送し得るようになっている。
【００２９】
また、液体保持部材２００１は、バネ部材（押圧手段）２００６の付勢力によって塗布ローラ１００１の周面に対して付勢されて当接するとき、塗布ローラ１００１による液体塗布領域全体に亘って延在する長尺な液体保持空間Ｓを形成するようになっている。この液体保持空間Ｓ内には、後述の液体供給経路３０００から液体保持部材２００１を介して塗布液が供給される。このとき、液体保持部材２００１が以下のように構成されているため、塗布ローラ１００１の停止状態において、液体保持空間Ｓから外方へ不用意に塗布液が漏出するのを防止ないしは軽減することができる。
【００３０】
この液体保持部材２１００の構成を、図３ないし図８に示す。  
図３に示すように、液体保持部材２００１は、空間形成基材２００２と、この空間形成基材２００２の一方の面に設けられた環状の当接部材２００９とを有して構成されている。空間形成基材２００２には、その中央部分における長手方向に沿って、底部の断面形が円弧状をなす凹部２００３が形成される。そして、当接部材２００９は、その直線部分がこの凹部２００３の上縁部に沿って固着され、また、円周部分が上記上縁部から底部を経て反対側の上縁部に至るように固着される。これにより、液体保持部材２００１の当接部２００９が塗布ローラ１００１に当接したとき、塗布ローラの周面形状に沿った当接が可能となり、均一な圧力の当接を実現することができる。
【００３１】
上記のようにこの実施形態における液体保持部材は、継ぎ目のない一体に形成された当接部材２００９が、バネ部材２００６の付勢力によって塗布ローラ１００１の外周面に隙間なく連続した状態で当接する。その結果、液体保持空間Ｓは、この当接部材２００９と、空間形成基材の一面と、塗布ローラ１００１の外周面とによる実質的に閉塞した空間となり、この空間に塗布液が保持される。そして、塗布ローラ１００１の回転が停止した状態では、当接部材２００９と塗布ローラ１００１の外周面とは液密状態を維持し、液体が外部へと漏出するのを確実に防止することができる。一方、塗布ローラ１００１が回転するときは、後述されるように、塗布液は塗布ローラ１００１の外周面と当接部材２００９との間をすり抜けて、塗布ローラの外周面に層状に付着する。ここで、塗布ローラ１００１の停止状態において、その外周面と当接部材２００９とが密接状態にあるとは、上記のとおり、上記液体保持空間Ｓの内と外との間で液体を通さないことである。この場合、当接部材２００９の当接状態としては、それが塗布ローラ１００１の外周面に対し、直に接する状態の他、毛管力によって形成される液体の膜を解して上記外周面に当接する状態を含むものである。
【００３２】
また、当接部材２００９の長手方向における左右両側部は、図３ないし図８に示すように、正面（図３）、平面（図６）および側面（図７、図８）のいずれの方向から見ても緩やかに湾曲する形状をなしている。このため、塗布ローラ１００１に対し、比較的強い押圧力で当接部材２１２０を当接させても、当接部材２００９の全体が略均一に弾性変形し、局所的に大きな歪みが生じることはない。このため、当接部材２００９は図６ないし図８に示すように、隙間なく連続的に塗布ローラ１００１の外周面に当接し、上記の実質的に閉塞した空間を形成することができる。
【００３３】
一方、空間形成基材２００２には、図３ないし図５に示すように、当接部材２００９に囲繞された領域内に、それぞれ空間形成基材２００２を貫通する孔を有して構成される液体供給口（供給口）２００４および液体回収口（回収口）２００５が設けられている。これらは空間形成基材の背面側に突設された円筒状の連結部２００４１，２００５１にそれぞれ連通している。また、この連結部２００４１，２００５１は、後述の液体供給流路３０００に連結されている。なお、この実施形態では、液体供給口２００４が当接部材２００９に囲繞された領域の一端部（図３では左端部）近傍に形成され、液体回収口２００５が同領域の他端部（図３では右端部）近傍に設けられる。この液体供給口２００４は、液体流路３０００から供給される塗布液を前述の液体保持空間Ｓに供給し、液体回収口２００５は液体保持空間Ｓ内の液体を液体流路３０００へと流出させるためのものである。この液体の供給、流出を行うことにより、液体保持空間Ｓ内において、塗布液は上記の左端部から右端部へと流動する。
【００３４】
その際、液体保持空間S内を塗布液が流れる間に、圧力損失が起こる。このため、液体供給口２００４と、液体回収口２００５とで比べた場合、液体供給口２００５での負圧が高くなってしまう。前述の通り、負圧が高い方が磨耗量が多くなってしまうことを鑑みると、液体供給口２００４と液体回収口２００５とでは、回収口２００５の方が負圧により磨耗の程度が悪い、すなわち、磨耗の量が多くなる。本実施形態では、装置の搬送経路を含めて供給口２００４・回収口２００５の場所を配置するものである。というのは、頻繁に塗布媒体が搬送される基準側の磨耗が、塗布液の圧力損失による磨耗で加速されないよう、回収口２００５を供給口２００４に対して相対的に基準側から遠い方に配置するものである。つまり、基準側に比べて塗布媒体が通る頻度が少なく、それによる磨耗が少ない方の端部を、負圧による磨耗が多い回収口付近に設置することとし、磨耗の原因を分散し、ローラの磨耗による画像弊害を軽減するものである。例えば図１の装置概要で、給紙側から塗布ローラ１００１を見た場合の右側を搬送の際の基準側とする。このとき、供給口２００４を同じく向かって右、回収口２００５を非基準側（向かって左）になるように配置する（図１７）。
【００３５】
本明細書において、「基準（突き当て基準とも呼ぶ）、基準点」とは、例えば塗布媒体を塗布ローラ１００１やカウンターローラ１００２等の塗布手段のニップ部に通す際の、塗布媒体の位置の基準である。よって、塗布媒体の所定の箇所を上記基準に合わせるようにして、上記ニップ部の間で塗布媒体を搬送させるのである。例えば、基準を図１７において向かって右側に設定する場合、いずれのサイズの塗布媒体であっても、該塗布媒体の搬送方向右側の端を基準に合わせるようにして搬送する。搬送方向に沿った記録媒体の一端部を規制する部材を右端に設けることで、記録媒体を右端に沿って搬送できるようになる。また、例えば、基準を図１８においてほぼ中央に設定する場合、いずれのサイズの塗布媒体であっても、該塗布媒体のほぼ中央を基準に合わせるようにして搬送する。よって、給紙部から塗布ローラへと塗布媒体を搬送させるための搬送路は、塗布媒体の所定の箇所（例えば、図１７では、塗布媒体の向かって右側の端）を基準に合わせて搬送できるように設けられる。
【００３６】
このように、設定された基準に応じて、塗布媒体における、上記基準と合わせる点（領域）が決められる。なお、上記基準は装置の設計時に設定され、該基準に基づいて、塗布媒体を上記基準に合わせるように搬送させるための搬送路やその制御機構などが設けられる。
【００３７】
このように、塗布ローラなどの塗布手段において、基準や基準点近傍では塗布媒体は必ず通る。一方、例えば、回収口２００５付近等の非基準側（塗布手段の長手方向に沿った、基準側と所定の距離だけ離れた領域）では、塗布媒体のサイズによっては塗布媒体が通らないこともある。
【００３８】
（塗布液流路）  
図１１は、前記塗布液供給手段の液体保持部材２００１に連結される液体流路３０００の概略構成を示す説明図である。  
この液体流路３０００は、液体保持部材２００１を構成する空間形成基材２００２の液体供給口２００４と塗布液を貯蔵する貯蔵タンク３００３とを連結する第１流路（供給流路）３００１を有する。また、液体流路３０００は、空間形成基材２００２の液体回収口２００５と前記貯蔵タンク３００３とを連結する第２流路（回収流路）３００２を有する。この貯蔵タンク３００３には、大気連通口３００４が設けられており、また、この大気連通口には、大気との連通、遮断を切換える大気連通弁３００５が設けられている。また、第１流路３００１内には切換弁３００６が設けられており、この切換弁３００６によって第１流路３００１と大気との連通、遮断が切換え可能となっている。さらに第２流路３００２内には、本液体流路３０００内で塗布液および空気を所望の方向へと強制的に流動させるためのポンプ３００７が連結されている。
【００３９】
なお、図１１において、基準点は、図１１において向かって左側の位置であって、基準点から回収口２００５までの距離が、基準点から供給口２００４までの距離よりも遠くなる位置に設定されている。すなわち、基準点に相対的に近い位置に供給口２００４が配置され、基準点に相対的に遠い位置に回収口２００５が配置される。
【００４０】
また、回収流路である第２流路３００２内にポンプ３００７が配置されている。よって、図１１の矢印方向に塗布液が流動するようにポンプ３００７を作動させると、液体保持空間Ｓ内の空気または塗布液の少なくとも一方が回収口２００５から第２流路３００２へと移動するので、液体保持部材２００１内は大気圧に対して負圧になる。よって、本実施形態では、塗布液の循環、供給、回収は、負圧方式によって行われる。なお、ポンプ３００７を駆動すると、液体保持空間Ｓ内の供給口２００４側よりも回収口２００５側の方が負圧になる。従って、供給口２００４側よりも回収口２００５側の負圧が大きい状態で、塗布液の循環、供給、回収は行われる。
【００４１】
また、この実施形態における切換弁３００６は、第１流路３００１と大気との連通、遮断を切換え得るものであれば、種々のものが適用可能であるが、ここでは図１１に示すような三方弁を使用している。この三方弁３００６は、互いに連通する３つのポートを有する。これらポートのうち２つのポートを、第１流路３００１における貯蔵タンク側チューブ３０１１と、液体保持部材側チューブ３０１２と、大気連通口３０１３の中のいずれか二つに選択的に連通させることができる。そして、この三方弁３００６の切換えにより、チューブ３０１１とチューブ３０１２とを連通させる連結状態と、チューブ３０１２と大気連通口３０１３とを連通させる連結状態とが選択的に切り換えられる。これにより、液体保持部材２００１と塗布ローラ１００１とによって形成される液体保持空間Ｓに対し、貯蔵タンク３００３内の塗布液あるいは大気連通口３０１３から取り込まれる空気の何れかを選択して供給することが可能となる。なお、三方弁３００６の切換えは、後述の制御部４０００からの制御信号によって行われ、塗布液の充填、供給などが行われる。
【００４２】
（制御系）  
図１２は、本実施形態の液体塗布装置における制御系の概略構成を示すブロック図である。  
図において、符号４０００は液体塗布装置全体を制御する制御手段としての制御部である。この制御部４０００は、種々の演算、制御、判別などの処理動作を実行するＣＰＵ４００１と、このＣＰＵ４００１によって実行される、図１３にて後述される処理などの制御プログラムなどを格納するＲＯＭ４００２とを有する。また、制御部４０００は、ＣＰＵ４００１の処理動作中のデータや入力データなどを一時的に格納するＲＡＭ４００３などを有する。
【００４３】
この制御部４０００には、所定の指令あるいはデータなどを入力するキーボードあるいは各種スイッチなどを含む入力操作部４００４、液体塗布装置の入力・設定状態などをはじめとする種々の表示を行う表示部４００５がそれぞれ接続されている。また、制御部４０００には、塗布媒体の位置や各部の動作状態などを検出するセンサなどを含む検出部４００６が接続されている。さらに制御部４０００には、前記ローラ駆動モータ１００４、ポンプ駆動モータ４００９、大気連通弁３００５および切換弁３００６などがそれぞれ駆動回路４００７，４００８，４０１０，４０１１を介して接続されている。
【００４４】
（液体塗布動作シーケンス）  
図１３は、本実施形態の液体塗布装置の液体塗布に係わる処理手順を示すフローチャートである。以下、このフローチャートを参照して、液体塗布にかかる各工程を説明する。  すなわち、液体塗布装置に電源が投入されると、制御部４０００は、図１３に示すフローチャートに従って以下の塗布動作シーケンスを実行する。
【００４５】
充填工程  
ステップＳ１では、前記塗布空間Ｓに対する塗布液の充填工程を実行する。この充填工程では、まず、貯蔵タンク３００３の大気連通弁３００５を大気に開放させると共に、ポンプ３００７を一定時間駆動する。これにより、液体塗布空間Ｓおよび各流路３００１，３００２内に塗布液が充填されていない場合には、ポンプによって内部の空気が貯留部へと送られて大気へと排出されると共に各部に塗布液が充填される。また、既に各部に塗布液が充填されている場合には、各部の塗布液が流動して適正な濃度および粘度の塗布液が供給される。この初期動作によって、塗布ローラ１００１に対し塗布液が供給された状態となり、塗布媒体への塗布が可能となる。
【００４６】
塗布工程  
ここで、塗布開始指令が入力されると（ステップＳ２）、再びポンプ３００７が作動を開始する（ステップＳ３）。このようにして、液体保持空間Ｓ内の供給口２００４側よりも回収口２００５側を負圧にした状態で、液体流路３０００内で塗布液を循環させる。次いで、液体流路３０００内で塗布液を循環させながら、塗布ローラ１００１が図１の矢印に示すように、時計周りに回転を開始する（ステップＳ４）。この塗布ローラ１００１の回転により、液体保持空間Ｓに充填された塗布液Ｌは、塗布ローラ１００１に対する液体保持部材２００１の当接部材２００９の押圧力に抗して、塗布ローラ１００１と当接部材２００９の下縁部２０１１との間を摺り抜ける。摺り抜けた塗布液は塗布ローラ１００１の外周に層状態となって付着する。塗布ローラ１００１に付着した塗布液Ｌは、塗布ローラ１００１とカウンターローラ１００２との当接部に送られる。
【００４７】
次いで、塗布媒体送給機構１００６によって塗布ローラ１００１とカウンターローラ１００２との間に塗布媒体が搬送され、これらのローラの間に塗布媒体が挿入される。これと共に、挿入された塗布媒体は、塗布ローラ１００１とカウンターローラ１００２の回転に伴い排紙部へ向けて搬送される（ステップＳ５）。この搬送の間に、塗布ローラ１００１の外周面に塗布された塗布液が、図９に示すように塗布ローラ１００１から塗布媒体Ｐに転写される。なお、塗布ローラ１００１とカウンターローラ１００２との間に塗布媒体を供給する手段としては、上記の送給機構に限られないことは勿論である。例えば、所定のガイド部材を補助的に用いる手差しによる手段を併せて用いてもよく、また、手差し手段を単独で用いる構成など、どのような手段を用いてもよい。
【００４８】
さて、本実施形態では、上述した通り、ポンプ３００７の駆動によって負圧方式で塗布液を循環させながら、塗布ローラによる塗布液の塗布を実行している。そのため、塗布液の塗布時には、液体保持空間Ｓ内の供給口２００４側よりも回収口２００５側の負圧が大きくなる。こうした負圧差は塗布ローラの磨耗量に差異を生じさせ、負圧差に起因した塗布ローラの磨耗量は供給口２００４側よりも回収口２００５側の方が大きい。
【００４９】
そこで、本実施形態では、負圧による磨耗量が比較的小さい供給口２００４を、記録媒体の搬送頻度が比較的多い搬送基準側に配置する。また、負圧による磨耗量が比較的大きい回収口２００５の位置を、記録媒体の搬送頻度が比較的少ない非基準側に配置する。すなわち、搬送基準位置に対して、供給口２００４よりも相対的に遠い位置に回収口２００５を配置するのである。このように負圧による磨耗量が小さい供給口２００４を搬送による磨耗量が大きい側に配置し、負圧による磨耗量が大きい回収口２００５を搬送による磨耗量が小さい側に配置することで、塗布ローラの左右の磨耗量を比較的均一にできる。
【００５０】
図９において、交差する斜線で表現した部分が塗布液Ｌを示している。なお、ここでは、塗布ローラ１００１および塗布媒体Ｐにおける塗布液の層の厚みは、塗布時における塗布液Ｌの様子を明確に図示する上で、実際の厚みよりもかなり過大に表している。
【００５１】
上記のようにして、塗布媒体Ｐの塗布された部分は塗布ローラ２００１の搬送力により矢印方向に搬送されると共に、塗布媒体Ｐと塗布ローラ２００１の接触部に塗布媒体Ｐの未塗布部分が搬送される。この動作を連続もしくは間欠的に行うことで塗布媒体全体に塗布液を塗布して行く。
【００５２】
ところで、塗布液は潤滑剤としての働きもある。後で詳しく述べるが、塗布ローラ１００１の表面に供給された塗布液は塗布媒体へと塗布されるため、塗布媒体が通った後の塗布ローラには少量しか塗布液が残っていない。これにより、塗布ローラが再びキャップ（液体保持部材２００１）のニップ部に突入するポイントで潤滑剤としての塗布液が不足し摩擦が大きくなり、塗布ローラの通紙部が磨耗してしまう。図９は、通紙部（塗布ローラ表面における、塗布媒体と接触する領域、すなわち、塗布媒体が通る領域）の模式図である。また、図１０は、非通紙部（例えば最大でＡ３サイズの塗布媒体に塗布可能な塗布ローラにおいて、Ａ４サイズの記録媒体を通紙した場合の、非基準側であって、塗布媒体が通らない部分のこと）の模式図である。
【００５３】
図２１，図２２，図２３は、媒体Ｐが普通紙である場合における媒体の表面と塗布面での塗布過程を説明する説明図である。本図では液体を黒く塗りつぶしてある。  
図２１は塗布ローラ１００１とカウンターローラ１００２とのニップ部より上流側での状態を示している。同図において塗布ローラ１００１の塗布面には液体が塗布面の表面の微細な凹凸をわずかに被うように液体が付着している。  
図２２は塗布ローラ１００１とカウンターローラ１００２とのニップ部での、媒体Ｐである普通紙の表面と塗布ローラ１００１の塗布面の状態を示している。同図において媒体Ｐである普通紙の表面の凸部は塗布ローラ１００１の塗布面と接触し、接触した部分より液体が瞬時に媒体Ｐである普通紙の表面の繊維に浸透ないし吸着する。また塗布ローラ１００１の塗布面には普通紙の表面の凸部と接触しない部分に付着した液体が残留される。
【００５４】
図２３は塗布ローラ１００１とカウンターローラ１００２とのニップ部より下流側での状態を示している。同図は媒体と塗布ローラ１００１の塗布面が完全に離脱した状態である。塗布ローラ１００１の塗布面には普通紙の表面の凸部と接触しない部分に残留した液体と接触部における液体も極微量ながら塗布面に残留する。
【００５５】
また、この塗布ローラ１００１に残留した塗布液は、塗布ローラ１００１に対する液体保持部材２００１の当接部材２００９の押圧力に抗して、塗布ローラ１００１と当接部材２００９の上縁部２０１０との間を摺り抜けて液体保持空間Ｓ内に戻る。この液体保持空間Ｓ内に戻った塗布液は、同空間Ｓ内に充填されている塗布液と混合される。
【００５６】
さらに、この塗布液の戻し動作は、図１０に示すように塗布媒体が存在しない状態で塗布ローラ１００１を回転させた場合にも同様に行われる。すなわち、塗布ローラ１００１を回転することで塗布ローラ１００１の外周に付着した塗布液は、カウンターローラ１００２と当接する部分（ニップ部）の間をすり抜ける。すり抜けた後は塗布ローラ１００１側とカウンターローラ１００２側とに塗布液が分離し、塗布ローラ１００１に塗布液が残留する。そして、塗布ローラ１００１側に付着した塗布液Ｌは当接部材２００９の上縁部２０１０と塗布ローラ１００１との間をすり抜けて液体保持空間Ｓ内に侵入し、同空間Ｓ内に充填されている塗布液に混合する。
【００５７】
終了工程  
上記のようにして、塗布媒体への塗布動作が実行されると、次に塗布工程を終了して良いか否かの判断を行い（ステップＳ６）、塗布工程を終了しない場合は、ステップＳ５に戻り、塗布媒体の塗布が必要な部分全体に塗布工程を終了するまで塗布動作を繰り返す。塗布工程を終了すると、塗布ローラ１００１を停止させ（ステップＳ７）、さらに、ポンプ３００７の駆動を停止させる（ステップＳ８）。この後、ステップＳ２へ移行し、塗布開始指令が入力されていれば、前述のステップＳ２〜Ｓ８の動作を繰り返す。一方、塗布開始指令が入力されていなければ、液体保持空間Ｓおよび液体流路内の塗布液を回収する回収動作などの後処理を行い（ステップ９）、塗布にかかる処理を終了する。
【００５８】
なお、上記回収動作は、前記大気連通弁３００５および切換弁３００６を開放し、ポンプ３００７を駆動することによって塗布液を塗布液保持空間Ｓおよび第２流路３００２内の塗布液を液体貯留タンク３００３へと流入させることによって行う。この回収動作を行うことにより、液体保持空間Ｓからの塗布液の蒸発を完全に防止ないしは緩和することができる。また、回収動作後は大気連通弁３００５を閉じ、切換弁３００６を切換えて第１流路３００１および大気連通口３０１３との連通を遮断することにより、貯蔵タンク３００３を大気から遮断する。これにより、液体貯蔵タンク３００３からの塗布液の蒸発を防止ないしは軽減することができると共に、移動、運搬などにおいて装置の姿勢が傾いた場合にも塗布液が外部へ流出するのを完全に防止ないしは軽減することができる。
【００５９】
このように、本実施形態によれば、負圧方式において、基準に対して相対的に近い位置に供給口を配置し、基準に対して相対的に遠い位置に回収口を配置しているので、負圧による磨耗と、塗布液が少ないことによる磨耗とを分散することができる。すなわち、塗布媒体への塗布によりローラ表面に残った塗布液が少なくなる、または無くなることによって生じる磨耗に対して、負圧による磨耗の影響を及ぼすことを軽減することができる。よって、塗布ローラやカウンターローラ等の塗布に関るローラの磨耗の原因を分散することができ、塗布液の塗りムラによる画像の弊害等、ローラの磨耗による画像弊害を軽減することが可能となる。  
さて、本実施形態は、塗布媒体への塗布によるローラ表面の塗布液残量が十分でないことによるローラの磨耗に対して、負圧によるローラの磨耗の影響を軽減させるために、回収口を基準点に対して、供給口よりも相対的に遠い位置に配置している。よって、基準点に対して、回収口と供給口との位置関係を上述のようであればいずれの関係であっても良い。
【００６０】
なお、塗布媒体のサイズ等を考慮するとより好ましい位置関係がある。例えば、液体塗布装置でサポートされる最大の塗布媒体のサイズがＡ３であり、最も頻繁に塗布を行う塗布媒体のサイズがＡ４である場合はより好ましい位置関係は、以下の通りである。すなわち、Ａ４サイズの塗布媒体を基準点に突き当てた（合わせた）場合、基準点に対して、該塗布媒体の基準点とは反対側の端よりも相対的に遠い位置に回収口を配置すれば良い。  
このように、供給口は、総てのサイズの媒体と当接する塗布ローラの搬送方向と直交する方向の位置に対向する液体保持部材２００１上に配置することが好ましい。一方、回収口は、一部のサイズの媒体だけと当接する塗布ローラの搬送方向と直交する方向の位置に対向する液体保持部材２００１上の位置に配置することが好適である。
【００６１】
また、いずれのサイズの塗布媒体に塗布する場合でも、塗布ローラの表面の、液体塗布装置でサポートされる最小の塗布媒体が通る領域を、塗布媒体のサイズに関らず塗布媒体は必ず通過する。よって、上記最小サイズの塗布媒体を基準点に突き当てた場合、基準点に対して、該塗布媒体の基準点とは反対側の塗布媒体の端よりも相対的に遠い位置に回収口を配置することも好ましい。
【００６２】
（第２の実施形態）  
次に、本発明の他の実施形態の要部を図１８に基き説明する。  
本実施形態では、搬送時の基準が、塗布ローラ１００１のほぼ中心にある場合を想定している。第１の実施形態では、記録媒体を塗布ローラ端部の片方に突き当てて搬送しているため、塗布ローラの片側のみが徐々にけずれていくが、本実施形態では、基準をほぼ中心にとる。そのため、片側のみと言わず、基準となる中心付近から対照系にローラが削れてしまう。
【００６３】
この場合も同じように、基準から見て供給口２００４よりも相対的に遠い位置、つまりこの場合は、塗布ローラ１００１の両端のどちらか一方、または両方に回収口２００５を設ければ良い。もし、液体供給口２００４を基準と同じ吐布ローラ１００１の中心付近に配置する場合は、塗布ローラ１００１の両端のどちらか、もしくはその両方に回収口２００５を配置する。というのも、本発明の一実施形態において、液体保持部材２００１に形成する供給口２００４および回収口２００５の形成位置および数は、上記実施形態に限定されないからである。
【００６４】
例えば、液体供給口を液体保持空間内の両端部に配置し、前記両液体供給口の間に一つまたは複数の液体回収口を形成することも可能である。ただし、この場合においても、基準に対して液体供給口よりも液体回収口の方が遠い位置に配置されている。また逆に、図１８に示すように、液体回収口を液体保持空間内の両端部に配置し、その両液体回収口の間に一つまたは複数の液体回収口を配置しても良い。要は、基準とほぼ同じ位置または、基準に対して相対的に近い位置に液体供給口を配置し、相対的に遠い位置に液体回収口を配置して、液体保持部材内に保持される液体が液体保持空間内で流動可能になれば良い。
【００６５】
（他の実施形態）  
第１および第２の実施形態では、液体保持部材２００１に塗布ローラ１００１を当接することにより、シール性（液密状態）に優れた液体保持空間Ｓを形成しているが、これに限定されない。例えば、特許文献１に記載されているようなチャンバーを塗布ローラの周面に当接することにより、上記液体保持空間を形成するようにしても良い。すなわち、液体保持空間を形成するための部材として、液体供給口と液体回収口とを有し、塗布ローラに当接することにより液体保持空間を形成し、負圧により上記空間に対して塗布液の循環、供給、回収等を行える部材であれば、いずれの部材を用いても良い。
【００６６】
（インクジェット記録装置の実施形態）  
図１９は、上述の液体塗布装置とほぼ同様の構成を有した塗布機構を備えたインクジェット記録装置１の概略構成を示す図である。  
このインクジェット記録装置１には、複数枚の記録媒体Ｐを積載する給送トレイ２が設けられており、半月形状の分離ローラ３が、給送トレイに積載された記録媒体Ｐを１枚づつ分離して搬送経路に給送する。搬送経路中には、上記液体塗布機構の液体塗布手段を構成する塗布ローラ１００１およびカウンターローラ１００２が配置されている。この構成により、給送トレイ２から給送された記録媒体Ｐは、装置毎に任意に決められた基準に突き当てられて両ローラ１００１，１００２の間に送られる。塗布ローラ１００１はローラ駆動モータの回転によって図１９において時計周り方向に回転し、記録媒体Ｐを搬送しながら塗布液を記録媒体Ｐの記録面に塗布する。塗布液が塗布された記録媒体Ｐは、搬送ローラ４とピンチローラ５との間に送られ、搬送ローラ４が、図中、反時計周り方向へと回転することによって、記録媒体Ｐはプラテン６の上を搬送される。搬送された記録媒体Ｐは、記録手段を構成する記録ヘッド７に対向する位置へと移動する。記録ヘッド７は所定数のインク吐出用のノズルを配設したインクジェット記録ヘッドであり、この記録ヘッド７が図の紙面と垂直方向に走査する間に、記録データに従ってノズルから記録媒体Ｐの記録面に対してインク滴を吐出して記録を行う。この記録動作と搬送ローラ４による所定量の搬送動作とを交互に繰り返しながら、記録媒体に画像を形成して行く。この画像形成動作とともに、記録媒体の搬送路において記録ヘッドの走査領域の後流側に設けられた、排紙ローラ８と排紙拍車９によって記録媒体Ｐが挟持され、排紙ローラ８の回転によって排紙トレイ１０上に排紙される。
【００６７】
なお、このインクジェット記録装置としては、インクを吐出するノズルを記録媒体の最大幅に亘って配設した長尺な記録ヘッドを用いて記録動作を行ういわゆるフルライン型のインクジェット記録装置を構成することも可能である。
【００６８】
また、この実施形態で用いる塗布液は、顔料を色材とするインクで記録した際に顔料の凝集を早める処理液である。この実施形態では、塗布液として処理液を用いることにより、この処理液とこの処理液が塗布された記録媒体に吐出されるインクの色材である顔料を反応させて顔料の凝集を早めさせる。そして、この不溶化により、記録濃度の向上を図ることができる。さらに、ブリーディングの軽減または防止が可能となる。なお、インクジェット記録装置において用いる塗布液としては、上述の例に限られないことは勿論である。
【００６９】
図２０は、上述したインクジェット記録装置の要部を示す斜視図である。同図に示すように、給送トレイ２の一端の上方に塗布機構１００が設けられ、この塗布機構より上部で、給送トレイ２の中央部上方に記録ヘッド７などを備えた記録機構が設けられる。
【００７０】
なお、本実施形態では、記録媒体に対する液体塗布に伴い、その塗布が終了した部分に対して順次記録を行うものである。すなわち、塗布ローラから記録ヘッドへ至る搬送路の長さが記録媒体の長さよりも短く、記録媒体上の液体の塗布がなされた部分が記録ヘッドによる走査領域に至るときに、記録媒体の他の部分に塗布機構によって塗布が行われる形態である。記録媒体の所定量の搬送ごとに、記録媒体の異なる部分で、順次、液体塗布と記録がなされていく。しかし、本発明の適用する上で、別の形態として、特許文献３に記載されるように、１つの記録媒体に対する塗布が完了してから記録を行うものであってもよい。
【００７１】
また、本発明における記録装置においては、液体塗布機構によって、蛍光増白剤を含有する液体を塗布することにより、媒体の白色度を向上させることが可能である。このとき、前記液体塗布後の記録手段は、インクジェット記録方式に限られず、熱転写方式、電子写真方式などの記録方式でも効果を得ることができる。  
また、銀塩写真方式の記録装置において、記録前に、感光剤を塗布してもよい。
【図面の簡単な説明】
【００７２】
【図１】本発明の液体塗布装置に係る実施形態の全体構成を示す斜視図である。
【図２】図１に示した塗布ローラ、カウンターローラおよび液体保持部材などの配置の一例を示す縦断側面図である。
【図３】図１および図２に示した液体保持部材の正面図である。
【図４】図３に示した液体保持部材をＩＶ−ＩＶ線にて切断した端面を示す端面図である。
【図５】図３に示した液体保持部材をＶ−Ｖ線にて切断した端面を示す端面図である。
【図６】図３に示した液体保持部材の平面図である。
【図７】図３に示した液体塗布部材の当接部を液体塗布ローラに当接させた状態を示す左側面図である。
【図８】図３に示した液体塗布部材の当接部を液体塗布ローラに当接させた状態を示す右側面図である。
【図９】本発明の実施形態において、液体保持部材と塗布ローラとによって形成される液体保持空間に塗布液が充填され、塗布ローラと塗布媒体とが接触する状態を説明する縦断断面図である。
【図１０】本発明の実施形態において、液体保持部材と塗布ローラとによって形成される液体保持空間に塗布液が充填され、塗布ローラと塗布媒体とが接触しない状態を説明する縦断断面図である。
【図１１】本発明の実施形態における液体塗布装置の液体流路の概略構成を示す図である。
【図１２】本発明の実施形態における制御系の概略構成を示すブロック図である。
【図１３】本発明の実施形態における液体塗布動作シーケンスを示すフローチャートである。
【図１４】従来の、ローラ表面に残存する液体の量が少なくなることによる、ローラの磨耗を説明する図である。
【図１５】従来の、ローラ表面に残存する液体の量が少なくなることによる、ローラの磨耗を説明する図である。
【図１６】従来の、液体保持部の圧力の違いによって、塗布ローラの径が変化することを示す図である。
【図１７】本発明の実施形態における、基準に対する供給口および回収口の位置関係を説明する図である。
【図１８】本発明の実施形態における、基準に対する供給口および回収口の位置関係を説明する図である。
【図１９】本発明の実施形態におけるインクジェット記録装置の概略構成を示す縦断側面図である。
【図２０】図１９に示したインクジェット記録装置の要部を示す斜視図である。
【図２１】媒体Ｐが普通紙である場合における媒体の表面と塗布面での塗布過程を説明する説明図である。
【図２２】媒体Ｐが普通紙である場合における媒体の表面と塗布面での塗布過程を説明する説明図である。
【図２３】媒体Ｐが普通紙である場合における媒体の表面と塗布面での塗布過程を説明する説明図である。
【符号の説明】
【００７３】
１００  液体塗布装置
１００１  塗布ローラ
１００２  カウンターローラ
２００１  液体保持部材
２００４  液体供給口
２００５  液体回収口
３０００  液体流路
３００１  第１流路
３００２  第２流路
３００３  貯蔵タンク
３００４  大気連通口
３００５  大気連通弁
３００６  切換弁
３００７  ポンプ
【図１】
2007181809.tif 000003
【図２】
2007181809.tif 000004
【図３】
2007181809.tif 000005
【図４】
2007181809.tif 000006
【図５】
2007181809.tif 000007
【図６】
2007181809.tif 000008
【図７】
2007181809.tif 000009
【図８】
2007181809.tif 000010
【図９】
2007181809.tif 000011
【図１０】
2007181809.tif 000012
【図１１】
2007181809.tif 000013
【図１２】
2007181809.tif 000014
【図１３】
2007181809.tif 000015
【図１４】
2007181809.tif 000016
【図１５】
2007181809.tif 000017
【図１６】
2007181809.tif 000018
【図１７】
2007181809.tif 000019
【図１８】
2007181809.tif 000020
【図１９】
2007181809.tif 000021
【図２０】
2007181809.tif 000022
【図２１】
2007181809.tif 000023
【図２２】
2007181809.tif 000024
【図２３】
2007181809.tif 000025